(57)【要約】【課題】研磨を行うことなく、透明ディスク基板に付いた傷を修復して、光ディスクに記録された情報の再生を可能にする。【解決手段】この光ディスクは、光学的情報記録用の凹凸パターンが形成された、ガラス又は樹脂からなる透明ディスク基板１の表面上に、記録層２（色素層）、アルミニウム等の反射層３、反射層３を大気中の水分、酸素から保護するための保護層４、ラベルを形成するための印刷層５が形成され、傷Ｋの付いた透明ディスク基板１の裏面に、水に、シリコン弗素系コポリマー及びグラス繊維素ポリマーを混合してなるコーティング層６（被膜）を塗布してなる。塗布時のコーティング層６は、液体であって、その組成比は、水：５７重量％、シリコン弗素系コポリマー：４重量％、グラス繊維素ポリマー：１２重量％であることが好ましい。【選択図】図１
0003127838.tif 000002
【実用新案登録請求の範囲】
【請求項１】
表面に光学的情報記録用の凹凸パターンを有する透明ディスク基板と、
前記透明ディスク基板の表面上に積層された記録層及び反射層と、
前記透明ディスク基板の裏面に塗布されたコーティング層と、を備え、
前記コーティング層は、シリコン弗素系コポリマー及びグラス繊維素ポリマーを含むことを特徴とする光ディスク。
【請求項２】
前記記録層上に印刷層が形成され、この印刷層上に塗布された第２のコーティング層を備え、前記第２のコーティング層は、シリコン弗素系コポリマー及びグラス繊維素ポリマーを含むことを特徴とする請求項１に記載の光ディスク。
【考案の詳細な説明】
【技術分野】
【０００１】
本考案は、光ディスクに関し、特に、光ディスクの表面に傷が付くのを防止し、また、傷が付いて不良となった光ディスクの表面を平坦化して、これを修復し、光ディスクに記録された音楽や画像の再生を可能にする技術に関する。
【背景技術】
【０００２】
ＣＤ、ＤＶＤ（デジタルビデオディスク）等の光ディスクは、図６に示すように、光学的情報記録用の凹凸パターンが形成された、ガラス又は樹脂からなる透明ディスク基板１の表面上に、記録層２（色素）、アルミニウム等の反射層３、反射層３を大気中の水分、酸素から保護するための保護層４、ラベルを形成するための印刷層５が形成されてなる。
【０００３】
このような光ディスクにおいては、透明ディスク基板１の裏面側から凹凸パターンに対してレーザー光が（スポット光）照射され、その入射光と反射層３からの反射光の位相差によって情報が検出・再生される。
【０００４】
しかしながら、光ディスクは使用中や運搬中に透明ディスク基板１に傷が付きやすい。図６に示すように、透明ディスク基板１に傷Ｋが付くと、入射したレーザー光が傷Ｋの部分で乱反射し、記録されていた情報を再生できなくなり、音楽ＣＤの場合には音飛びなどの不良が生じるという問題があった。
【０００５】
そこで、図７（ａ）〜（ｃ）に示すように、傷Ｋが付いた透明ディスク基板１の傷Ｋが付いた面を傷Ｋが無くなるまで何回か研磨するという修復作業が行われていた。そのような研磨による光ディスクの修復方法については特許文献１に開示されている。
【特許文献１】特開平９−４５０４８号公報
【考案の開示】
【考案が解決しようとする課題】
【０００６】
しかしながら、研磨によって光ディスクの修復ができたとしても、研磨によって透明ディスク基板１が薄くなり、透明ディスク基板１の裏面から光学的情報記録用の凹凸パターン、記録層２までの距離が減少するため、情報記録の保護性能が低下してしまうという問題があった。
【課題を解決するための手段】
【０００７】
本考案の光ディスクは、上述した従来技術の課題に鑑みてなされたものであり、表面に光学的情報記録用の凹凸パターンを有する透明ディスク基板と、前記透明ディスク基板の表面上に積層された記録層及び反射層と、前記透明ディスク基板の裏面に塗布されたコーティング層と、を備え、前記コーティング層は、シリコン弗素系コポリマー及びグラス繊維素ポリマーを含むことを特徴とする。
【考案の効果】
【０００８】
本考案の光ディスクによれば、シリコン弗素系コポリマー及びグラス繊維素ポリマーを含むコーティング層を塗布したので、研磨を行うことなく、透明ディスク基板に付いた傷を修復して、光ディスクに記録された音楽や画像等の情報の再生が可能になる。
【０００９】
また、傷が付いていない光ディスクに前記コーティング層を塗布した場合には、このコーティング層は摩擦抵抗力が小さいことから、それに傷の発生が軽減され、光ディスクの情報保護性能を向上することができる。
【考案を実施するための最良の形態】
【００１０】
以下で、本考案の実施形態による光ディスクについて図面を参照しながら説明する。この光ディスクは、図１の断面図に示すように、光学的情報記録用の凹凸パターンが形成された、ガラス又は樹脂からなる透明ディスク基板１の表面上に、記録層２（色素層）、アルミニウム等の反射層３、反射層３を大気中の水分、酸素から保護するための保護層４、ラベルを形成するための印刷層５が形成され、傷Ｋの付いた透明ディスク基板１の裏面に、水に、シリコン弗素系コポリマー及びグラス繊維素ポリマーを混合してなるコーティング層６（被膜）を塗布してなる。
【００１１】
塗布時のコーティング層６は、液体であって、その組成は、例えば、水：５７重量％、シリコン弗素系コポリマー：４重量％、グラス繊維素ポリマー：１２重量％であり、残りの成分はシリコーン、界面活性剤、合成樹脂、石油系溶剤等であることが、後述する平坦化による乱反射防止効果、摩擦抵抗力の低減効果を実用上十分得る上で好ましい。コーティング層６は、塗布時は液体であるが、塗布後は水分がある程度蒸発することにより、摩擦抵抗力が低い高硬度被膜となる。
【００１２】
その塗布方法としては、例えば、前記液体をノズル付き容器に入れ、そのノズルから透明ディスク基板１の裏面に向けてスプレー噴射させる。透明ディスク基板１の裏面に傷Ｋが付いている場合、このコーティング層６は傷Ｋの凹部の中に浸透して、これにより、透明ディスク基板１の裏面は平坦化される。また、コーティング層６は、ガラス又は樹脂からなる透明ディスク基板１と同様に透明度が高く、屈折率も大体同じである。
【００１３】
従って、透明ディスク基板１の裏面側から凹凸パターンに対して垂直に入射されたレーザー光は、傷Ｋによる乱反射を受けることなく直進し、反射層３によって反射される。反射されたレーザー光は入射光と同じ経路を辿ることになる。これにより、透明ディスク基板１に記録された情報が正常に検出・再生される。また、コーティング層６は摩擦抵抗力が低いので、再度の傷発生が軽減される。
【００１４】
図３は、光ディスクの透明ディスク基板側の表面粗さを測定した結果を示す図であり、上の図（ａ）はコーティング層６が塗布されていない光ディスクの測定結果、下の図（ｂ）はコーティング層６が塗布された光ディスクの測定結果を示している。図３において縦軸は表面粗さ、横軸は光ディスク上の位置座標を示している。この測定結果から分かるように、コーティング層６が塗布された光ディスクにおいては表面粗さが顕著に減少し、平坦化されている。
【００１５】
また、図４は光ディスクの透明ディスク基板側の原子間顕微鏡による表面観察結果を示す図であり、上の図（ａ）はコーティング層６が塗布されていない光ディスクの表面観察結果、下の図（ｂ）はコーティング層６が塗布された光ディスクの表面観察結果を示している。この表面観察結果から、コーティング層６が塗布された光ディスクにおいては、表面の凹凸が大幅に減少し、微細な凹凸にコーティング層６が浸透して平坦化されていることが分かる。
【００１６】
また、図２の断面図に示すように、透明ディスク基板１の裏面に傷Ｋが付いていない新品の光ディスクにおいて、透明ディスク基板１の裏面上に、同様の方法でコーティング層６を塗布してもよい。コーティング層６は、前述のように、摩擦抵抗力が低い高硬度被膜となることから、傷が付くのを未然に防止することができる。
【００１７】
図５は、光ディスクの透明ディスク基板側の連続加圧摩耗試験結果を示す図であり、コーティング層６が塗布された光ディスク（図（ｂ）参照）においては、塗布されていないもの（図（ａ）参照）に比べて、摩擦抵抗力が約１／４に低減されていることが分かる。このように、コーティング層６が塗布された光ディスクにおいては摩擦抵抗力が低いことにより、傷発生が軽減される。
【００１８】
また、図２に示すように、透明ディスク基板１の表面側の印刷層５を覆って、コーティング層６と同じ構成の第２のコーティング層７を塗布することにより、透明ディスク基板１の表面側を傷発生から保護することができる。
【図面の簡単な説明】
【００１９】
【図１】本考案の実施形態による光ディスクの第１の断面図である。
【図２】本考案の実施形態による光ディスクの第２の断面図である。
【図３】本考案の実施形態による光ディスクの透明ディスク基板側の表面粗さを測定した結果を示す図である。
【図４】本考案の実施形態による光ディスクの透明ディスク基板側の原子間顕微鏡による表面観察結果を示す図である。
【図５】本考案の実施形態による光ディスクの透明ディスク基板側の連続加圧摩耗試験結果を示す図である。
【図６】従来例の光ディスクの断面図である。
【図７】従来例の光ディスクの修復方法を説明する断面図である。
【符号の説明】
【００２０】
１・・・透明ディスク基板１
２・・・記録層
３・・・反射層
４・・・保護層
５・・・印刷層
６・・・コーティング層
７・・・第２のコーティング層
【図１】
0003127838.tif 000003
【図２】
0003127838.tif 000004
【図７】
0003127838.tif 000005
【図３】
0003127838.tif 000006
【図４】
0003127838.tif 000007
【図５】
0003127838.tif 000008
【図６】
0003127838.tif 000009